(57)【要約】【課題】  集中データベースに対する全社員のアクセス認証等の問題を良好に解決する。【解決手段】  ステップ〔１〕で、社員によって、各自のＰＣに社員番号とパスワードが入力される。これにより、ステップ〔２〕では、社内サーバに設けられている社員マスタが参照されて、データベースへのアクセス権の認証が行われると共に、社員番号に該当する社員の所属する会社コードが取得される。そしてステップ〔３〕で、取得された会社コードをキーとしてデータベースへのアクセスが行われ、各社のパラメータ等に従って物品購買申請書等の表示画面の制御等が行われる。さらにステップ〔４〕では、例えば物品購買申請書で入力された情報が保存され、ステップ〔５〕で、保存された情報が経理システムの端末となるＰＣや、受発注を行うシステム等に提供されて必要な処理に使用される。なおこの場合にも、上述の会社コードが付加されることによって、経理システムや受発注システムでは、保存された情報を各社からの直接の情報のように処理することができる。【選択図】        図２
2005149392.tif 000002
【特許請求の範囲】
【請求項１】
グループ会社間のイントラネットと前記グループ各社の社内ネットワークが構築され、前記グループ会社の情報を集中して管理する情報管理システムであって、
前記グループ会社の社員を対象とする個々の端末を前記各社の社内ネットワークに接続する手段と、
前記端末に対するログインが認証されたときに、前記端末を前記グループ会社間のイントラネットを介してデータベースに接続する手段を有する
ことを特徴とする情報管理システム。
【請求項２】
請求項１記載の情報管理システムにおいて、
前記端末に対するログインが認証されたときに、前記端末から前記各社の会社コードを含む認証情報が前記データベースに伝達され、
前記各社の会社コードに応じたアクセスが行われる
ことを特徴とする情報管理システム。
【請求項３】
請求項２記載の情報管理システムにおいて、
前記データベースには、前記グループ会社に共通するアプリケーションと前記各社に独自のアプリケーションが設けられ、
前記各社の会社コードに応じたアプリケーションがアクセスされる
ことを特徴とする情報管理システム。
【請求項４】
請求項３記載の情報管理システムにおいて、
前記グループ会社に共通するアプリケーションと前記各社に独自のアプリケーションは、前記データベースでメンテナンスされる
ことを特徴とする情報管理システム。
【請求項５】
請求項３記載の情報管理システムにおいて、
前記グループ会社に共通するアプリケーションと前記各社に独自のアプリケーションで入力された情報を一括して読み出す手段を有する
ことを特徴とする情報管理システム。
【請求項６】
請求項１記載の情報管理システムにおいて、
前記イントラネット上には複数のデータベースが分散して設けられると共に、
前記イントラネットに管理用データベースが接続され、
前記複数のデータベースに設けられるアプリケーションのメンテナンスを前記管理用データベースで行う
ことを特徴とする情報管理システム。
【請求項７】
請求項６記載の情報管理システムにおいて、
前記端末に対するログインが認証されたときに、前記端末から前記各社の会社コードを含む認証情報が前記複数のデータベースに伝達され、
前記各社の会社コードに応じたアクセスが行われる
ことを特徴とする情報管理システム。
【請求項８】
請求項７記載の情報管理システムにおいて、
前記複数のデータベースには、前記グループ会社に共通するアプリケーションと前記各社に独自のアプリケーションが設けられ、
前記各社の会社コードに応じたアプリケーションがアクセスされる
ことを特徴とする情報管理システム。
【請求項９】
請求項８記載の情報管理システムにおいて、
前記管理用データベースは、前記グループ会社に共通するアプリケーションのメンテナンスを一括で行うと共に、前記各社の会社コードを用いて前記各社に独自のアプリケーションのメンテナンスを個別に行う
ことを特徴とする情報管理システム。
【請求項１０】
請求項８記載の情報管理システムにおいて、
前記管理用データベースは、前記グループ会社に共通するアプリケーションで入力された情報を一括で読み出すと共に、前記各社に独自のアプリケーションで入力された情報を個別に読み出す手段を含む
ことを特徴とする情報管理システム。
【請求項１１】
グループ会社間に構築されたイントラネットと、
前記グループ各社に構築された社内ネットワークと、
前記各社の社内ネットワークに接続され前記グループ会社の社員を対象とする個々の端末と、
前記グループ会社間のイントラネットに接続されるデータベースとからなり、
前記端末に対するログインが認証されたときに前記端末が前記グループ会社間のイントラネットを介してデータベースに接続されて前記グループ会社の情報を集中して管理する
ことを特徴とする情報管理装置。
【請求項１２】
請求項１１記載の情報管理装置において、
前記端末に対するログインが認証されたときに、前記端末から前記各社の会社コードを含む認証情報が前記データベースに伝達され、
前記データベースに対して前記各社の会社コードに応じたアクセスが行われる
ことを特徴とする情報管理装置。
【請求項１３】
請求項１２記載の情報管理装置において、
前記データベースには、前記グループ会社に共通するアプリケーションと前記各社に独自のアプリケーションが設けられ、
前記各社の会社コードに応じたアプリケーションがアクセスされる
ことを特徴とする情報管理装置。
【請求項１４】
請求項１３記載の情報管理装置において、
前記グループ会社に共通するアプリケーションと前記各社に独自のアプリケーションは、前記データベースでメンテナンスされる
ことを特徴とする情報管理装置。
【請求項１５】
請求項１３記載の情報管理装置において、
前記グループ会社に共通するアプリケーションと前記各社に独自のアプリケーションで入力された情報を一括して読み出す手段を有する
ことを特徴とする情報管理装置。
【請求項１６】
請求項１１記載の情報管理装置において、
前記イントラネット上には複数のデータベースが分散して設けられると共に、
前記イントラネットに管理用データベースが接続され、
前記複数のデータベースに設けられるアプリケーションのメンテナンスを前記管理用データベースで行う
ことを特徴とする情報管理装置。
【請求項１７】
請求項１６記載の情報管理装置において、
前記端末に対するログインが認証されたときに、前記端末から前記各社の会社コードを含む認証情報が前記複数のデータベースに伝達され、
前記複数のデータベースに対して前記各社の会社コードに応じたアクセスが行われる
ことを特徴とする情報管理装置。
【請求項１８】
請求項１７記載の情報管理装置において、
前記複数のデータベースには、前記グループ会社に共通するアプリケーションと前記各社に独自のアプリケーションが設けられ、
前記各社の会社コードに応じたアプリケーションがアクセスされる
ことを特徴とする情報管理装置。
【請求項１９】
請求項１８記載の情報管理装置において、
前記管理用データベースは、前記グループ会社に共通するアプリケーションのメンテナンスを一括で行うと共に、前記各社の会社コードを用いて前記各社に独自のアプリケーションのメンテナンスを個別に行う
ことを特徴とする情報管理装置。
【請求項２０】
請求項１８記載の情報管理装置において、
前記管理用データベースは、前記グループ会社に共通するアプリケーションで入力された情報を一括で読み出すと共に、前記各社に独自のアプリケーションで入力された情報を個別に読み出す手段を含む
ことを特徴とする情報管理装置。
【請求項２１】
グループ会社間のイントラネットと前記グループ各社の社内ネットワークが構築され、前記グループ会社の情報を集中して管理する情報管理システムに用いられる情報管理方法であって、
前記グループ会社の社員を対象とする個々の端末が前記各社の社内ネットワークに接続され、
前記端末に対するログインが認証されたときに、前記端末が前記グループ会社間のイントラネットを介してデータベースに接続される
ことを特徴とする情報管理方法。
【請求項２２】
請求項２１記載の情報管理方法において、
前記端末に対するログインが認証されたときに、前記端末から前記各社の会社コードを含む認証情報が前記データベースに伝達され、
前記各社の会社コードに応じたアクセスが行われる
ことを特徴とする情報管理方法。
【請求項２３】
請求項２２記載の情報管理方法において、
前記データベースには、前記グループ会社に共通するアプリケーションと前記各社に独自のアプリケーションが設けられ、
前記各社の会社コードに応じたアプリケーションがアクセスされる
ことを特徴とする情報管理方法。
【請求項２４】
請求項２３記載の情報管理方法において、
前記グループ会社に共通するアプリケーションと前記各社に独自のアプリケーションは、前記データベースでメンテナンスされる
ことを特徴とする情報管理方法。
【請求項２５】
請求項２３記載の情報管理方法において、
前記グループ会社に共通するアプリケーションと前記各社に独自のアプリケーションで入力された情報を一括して読み出すことができる
ことを特徴とする情報管理方法。
【請求項２６】
請求項２１記載の情報管理方法において、
前記イントラネット上には複数のデータベースが分散して設けられると共に、
前記イントラネットに管理用データベースが接続され、
前記管理用データベースで前記複数のデータベースに設けられるアプリケーションのメンテナンスを行う
ことを特徴とする情報管理方法。
【請求項２７】
請求項２６記載の情報管理方法において、
前記端末に対するログインが認証されたときに、前記端末から前記各社の会社コードを含む認証情報が前記複数のデータベースに伝達され、
前記複数のデータベースに対して前記各社の会社コードに応じたアクセスが行われる
ことを特徴とする情報管理方法。
【請求項２８】
請求項２７記載の情報管理方法において、
前記複数のデータベースには、前記グループ会社に共通するアプリケーションと前記各社に独自のアプリケーションが設けられ、
前記各社の会社コードに応じたアプリケーションがアクセスされる
ことを特徴とする情報管理方法。
【請求項２９】
請求項２８記載の情報管理方法において、
前記管理用データベースは、前記グループ会社に共通するアプリケーションのメンテナンスを一括で行うと共に、前記各社の会社コードを用いて前記各社に独自のアプリケーションのメンテナンスを個別に行う
ことを特徴とする情報管理方法。
【請求項３０】
請求項２８記載の情報管理方法において、
前記管理用データベースは、前記グループ会社に共通するアプリケーションで入力された情報を一括で読み出すと共に、前記各社に独自のアプリケーションで入力された情報を個別に読み出す手段を含む
ことを特徴とする情報管理方法。
【請求項３１】
グループ会社間のイントラネットと前記グループ各社の社内ネットワークが構築され、前記グループ会社の情報を集中して管理する情報管理システムを運用する情報管理プログラムであって、
前記グループ会社の社員を対象とする個々の端末を前記各社の社内ネットワークに接続するステップと、
前記端末に対するログインが認証されたときに、前記端末を前記グループ会社間のイントラネットを介してデータベースに接続するステップを含む
ことを特徴とする情報管理プログラム。
【請求項３２】
請求項３１記載の情報管理プログラムにおいて、
前記端末に対するログインが認証されたときに、前記端末から前記各社の会社コードを含む認証情報が前記データベースに伝達され、
前記各社の会社コードに応じたアクセスが行われる
ことを特徴とする情報管理プログラム。
【請求項３３】
請求項３２記載の情報管理プログラムにおいて、
前記データベースには、前記グループ会社に共通するアプリケーションと前記各社に独自のアプリケーションが設けられ、
前記各社の会社コードに応じたアプリケーションがアクセスされる
ことを特徴とする情報管理プログラム。
【請求項３４】
請求項３３記載の情報管理プログラムにおいて、
前記グループ会社に共通するアプリケーションと前記各社に独自のアプリケーションは、前記データベースでメンテナンスされる
ことを特徴とする情報管理プログラム。
【請求項３５】
請求項３３記載の情報管理プログラムにおいて、
前記グループ会社に共通するアプリケーションと前記各社に独自のアプリケーションで入力された情報を一括して読み出すステップを有する
ことを特徴とする情報管理プログラム。
【請求項３６】
請求項３１記載の情報管理プログラムにおいて、
前記イントラネット上には複数のデータベースが分散して設けられると共に、
前記イントラネットに管理用データベースが接続され、
前記管理用データベースで前記複数のデータベースに設けられるアプリケーションのメンテナンスを行うステップを有する
ことを特徴とする情報管理プログラム。
【請求項３７】
請求項３６記載の情報管理プログラムにおいて、
前記端末に対するログインが認証されたときに、前記端末から前記各社の会社コードを含む認証情報が前記複数のデータベースに伝達され、
前記複数のデータベースに対して前記各社の会社コードに応じたアクセスが行われる
ことを特徴とする情報管理プログラム。
【請求項３８】
請求項３７記載の情報管理プログラムにおいて、
前記複数のデータベースには、前記グループ会社に共通するアプリケーションと前記各社に独自のアプリケーションが設けられ、
前記各社の会社コードに応じたアプリケーションがアクセスされる
ことを特徴とする情報管理プログラム。
【請求項３９】
請求項３８記載の情報管理プログラムにおいて、
前記管理用データベースは、前記グループ会社に共通するアプリケーションのメンテナンスを一括で行うと共に、前記各社の会社コードを用いて前記各社に独自のアプリケーションのメンテナンスを個別に行うステップを有する
ことを特徴とする情報管理プログラム。
【請求項４０】
請求項３８記載の情報管理プログラムにおいて、
前記管理用データベースは、前記グループ会社に共通するアプリケーションで入力された情報を一括で読み出すと共に、前記各社に独自のアプリケーションで入力された情報を個別に読み出すステップを有する
ことを特徴とする情報管理プログラム。
【発明の詳細な説明】
【技術分野】
【０００１】
本発明は、例えばグループ企業間の情報管理に使用して好適な情報管理システム、装置、方法及びプログラムに関する。詳しくは、社内ネットワーク及びイントラネット等の情報基盤を有効に利用して、良好な情報管理が行われるようにしたものである。
【背景技術】
【０００２】
従来の情報管理の手段としては、例えばインターネットを利用したアプリケーション・サービス・プロバイダ（以下、ＡＳＰと略称する）が知られている（例えば、特許文献１参照。）。
【０００３】
また、インターネット上で商取引を行うシステムも知られているものもある（例えば、特許文献２参照。）。
【０００４】
しかしながら、上述の技術ではいずれも、本願発明の社内ネットワーク及びイントラネット等の情報基盤を有効に利用した情報管理については記載されていないものである。
【特許文献１】特開２００３−２１６５７５号公報
【特許文献２】特開平１１−１１０４５６号公報
【発明の開示】
【発明が解決しようとする課題】
【０００５】
通常の企業において情報管理を行う場合には、例えば社内ネットワークに対して１個のデータベースを設け、そのデータベース上で管理を行うことが一般的である。このため企業は、データベース等の設備や、そのメンテナンスを行う知識を持った管理者等を各社ごとに確保するなどの投資を行う必要がある。
【０００６】
一方、複数の企業が連結されたグループ企業においては、グループ内の物品の調達や、経理処理などのフォーマットを統一することにより、管理の効率化を図ることができる。そこでグループ内の各社をイントラネットで結び、そのイントラネット上にデータベースを設けるいわゆる集中データベース形式で情報を管理することが行われている。
【０００７】
これによれば、例えば統一フォーマットのアプリケーションを集中データベースに設けることにより、そのメンテナンス等も容易に行うことができ、一箇所にデータベースを集約することによる設備の軽減や、メンテナンスを行う知識を持った管理者等も一箇所のみに配置することによる人員の削減などの経費の節減を行うことができる。
【０００８】
ところが、例えばグループ内の各社の社員がそれぞれにデータベースにアクセスすることを考えると、その認証の問題が大きくなり、特に全社員の膨大な数の認証のデータを一元で管理することは困難である。またグループ内にあっても業種の異なる会社では、会社ごとに特殊なフォーマットが存在し、必ずしも全てを統一できない部分も存在する。
【０００９】
そこで、集中データベースとは別に各社ごとにデータベースを設置することも行われているが、データベース等の設備や管理者等を各社で確保するなどの投資が必要であり、また、システムが二重構造となるために管理が複雑になると共に、集中データベースに対する全社員のアクセス認証の問題も解決されないものである。
【００１０】
この出願はこのような点に鑑みて成されたものであって、解決しようとする問題点は、従来の装置では、例えばグループ内の各社の全社員が集中データベースにアクセスすることは認証の問題が大きくなり、またグループ内にあっても業種の異なる会社では、フォーマット全てを統一することが困難であったというものである。
【課題を解決するための手段】
【００１１】
このため本発明においては、グループ会社間のイントラネットとグループ各社の社内ネットワークが構築され、グループ会社の社員を対象とする個々の端末に対するログインが認証されたときに、端末がグループ会社間のイントラネットを介してデータベースに接続されるようにしたものであって、これによれば、集中データベースに対する全社員のアクセス認証等の問題を良好に解決することができる。
【発明の効果】
【００１２】
請求項１の発明は、グループ会社間のイントラネットとグループ各社の社内ネットワークが構築され、グループ会社の情報を集中して管理する情報管理システムであって、グループ会社の社員を対象とする個々の端末を各社の社内ネットワークに接続する手段と、端末に対するログインが認証されたときに、端末をグループ会社間のイントラネットを介してデータベースに接続する手段を有することによって、集中データベースに対する全社員のアクセス認証等の問題を良好に解決することができるものである。
【００１３】
また、請求項２の発明によれば、端末に対するログインが認証されたときに、端末から各社の会社コードを含む認証情報がデータベースに伝達され、各社の会社コードに応じたアクセスが行われることによって、集中データベースにおける各社の独自の利用を良好に行うことができるものである。
【００１４】
請求項３の発明によれば、データベースには、グループ会社に共通するアプリケーションと各社に独自のアプリケーションが設けられ、各社の会社コードに応じたアプリケーションがアクセスされることによって、集中データベースにおいて各社の独自のアプリケーションを良好に実行することができるものである。
【００１５】
請求項４の発明によれば、グループ会社に共通するアプリケーションと各社に独自のアプリケーションは、データベースでメンテナンスされることによって、集中データベースにおいて各社の独自のアプリケーションを良好に実行することができるものである。
【００１６】
請求項５の発明によれば、グループ会社に共通するアプリケーションと各社に独自のアプリケーションで入力された情報を一括して読み出す手段を有することによって、グループ会社全体に対する情報管理を良好に行うことができるものである。
【００１７】
請求項６の発明によれば、イントラネット上には複数のデータベースが分散して設けられると共に、イントラネットに管理用データベースが接続され、複数のデータベースに設けられるアプリケーションのメンテナンスを管理用データベースで行うことによって、大量のデータに対するレスポンス確保すると共に、各社の運用の違いが大きいときに容易に対応することができるものである。
【００１８】
請求項７の発明によれば、端末に対するログインが認証されたときに、端末から各社の会社コードを含む認証情報が複数のデータベースに伝達され、各社の会社コードに応じたアクセスが行われることによって、集中データベースにおける各社の独自の利用を良好に行うことができるものである。
【００１９】
請求項８の発明によれば、複数のデータベースには、グループ会社に共通するアプリケーションと各社に独自のアプリケーションが設けられ、各社の会社コードに応じたアプリケーションがアクセスされることによって、分散データベースにおいて各社の独自のアプリケーションを良好に実行することができるものである。
【００２０】
請求項９の発明によれば、管理用データベースは、グループ会社に共通するアプリケーションのメンテナンスを一括で行うと共に、各社の会社コードを用いて各社に独自のアプリケーションのメンテナンスを個別に行うことによって、分散データベースにおいて各社の独自のアプリケーションを良好に実行することができるものである。
【００２１】
請求項１０の発明によれば、管理用データベースは、グループ会社に共通するアプリケーションで入力された情報を一括で読み出すと共に、各社に独自のアプリケーションで入力された情報を個別に読み出す手段を含むことによって、グループ会社全体に対する情報管理を良好に行うことができるものである。
【００２２】
さらに請求項１１の発明によれば、グループ会社間に構築されたイントラネットと、グループ各社に構築された社内ネットワークと、各社の社内ネットワークに接続されグループ会社の社員を対象とする個々の端末と、グループ会社間のイントラネットに接続されるデータベースとからなり、端末に対するログインが認証されたときに端末がグループ会社間のイントラネットを介してデータベースに接続されてグループ会社の情報を集中して管理することによって、集中データベースに対する全社員のアクセス認証等の問題を良好に解決することができるものである。
【００２３】
また、請求項１２の発明によれば、端末に対するログインが認証されたときに、端末から各社の会社コードを含む認証情報がデータベースに伝達され、データベースに対して各社の会社コードに応じたアクセスが行われることによって、集中データベースにおける各社の独自の利用を良好に行うことができるものである。
【００２４】
請求項１３の発明によれば、データベースには、グループ会社に共通するアプリケーションと各社に独自のアプリケーションが設けられ、各社の会社コードに応じたアプリケーションがアクセスされることによって、集中データベースにおいて各社の独自のアプリケーションを良好に実行することができるものである。
【００２５】
請求項１４の発明によれば、グループ会社に共通するアプリケーションと各社に独自のアプリケーションは、データベースでメンテナンスされることによって、集中データベースにおいて各社の独自のアプリケーションを良好に実行することができるものである。
【００２６】
請求項１５の発明によれば、グループ会社に共通するアプリケーションと各社に独自のアプリケーションで入力された情報を一括して読み出す手段を有することによって、グループ会社全体に対する情報管理を良好に行うことができるものである。
【００２７】
請求項１６の発明によれば、イントラネット上には複数のデータベースが分散して設けられると共に、イントラネットに管理用データベースが接続され、複数のデータベースに設けられるアプリケーションのメンテナンスを管理用データベースで行うことによって、大量のデータに対するレスポンス確保すると共に、各社の運用の違いが大きいときに容易に対応することができるものである。
【００２８】
請求項１７の発明によれば、端末に対するログインが認証されたときに、端末から各社の会社コードを含む認証情報が複数のデータベースに伝達され、複数のデータベースに対して各社の会社コードに応じたアクセスが行われることによって、集中データベースにおける各社の独自の利用を良好に行うことができるものである。
【００２９】
請求項１８の発明によれば、複数のデータベースには、グループ会社に共通するアプリケーションと各社に独自のアプリケーションが設けられ、各社の会社コードに応じたアプリケーションがアクセスされることによって、分散データベースにおいて各社の独自のアプリケーションを良好に実行することができるものである。
【００３０】
請求項１９の発明によれば、管理用データベースは、グループ会社に共通するアプリケーションのメンテナンスを一括で行うと共に、各社の会社コードを用いて各社に独自のアプリケーションのメンテナンスを個別に行うことによって、分散データベースにおいて各社の独自のアプリケーションを良好に実行することができるものである。
【００３１】
請求項２０の発明によれば、管理用データベースは、グループ会社に共通するアプリケーションで入力された情報を一括で読み出すと共に、各社に独自のアプリケーションで入力された情報を個別に読み出す手段を含むことによって、グループ会社全体に対する情報管理を良好に行うことができるものである。
【００３２】
さらに請求項２１は、グループ会社間のイントラネットとグループ各社の社内ネットワークが構築され、グループ会社の情報を集中して管理する情報管理システムに用いられる情報管理方法であって、グループ会社の社員を対象とする個々の端末が各社の社内ネットワークに接続され、端末に対するログインが認証されたときに、端末がグループ会社間のイントラネットを介してデータベースに接続されることによって、集中データベースに対する全社員のアクセス認証等の問題を良好に解決することができるものである。
【００３３】
また、請求項２２の発明によれば、端末に対するログインが認証されたときに、端末から各社の会社コードを含む認証情報がデータベースに伝達され、各社の会社コードに応じたアクセスが行われることによって、集中データベースにおける各社の独自の利用を良好に行うことができるものである。
【００３４】
請求項２３の発明によれば、データベースには、グループ会社に共通するアプリケーションと各社に独自のアプリケーションが設けられ、各社の会社コードに応じたアプリケーションがアクセスされることによって、集中データベースにおいて各社の独自のアプリケーションを良好に実行することができるものである。
【００３５】
請求項２４の発明によれば、グループ会社に共通するアプリケーションと各社に独自のアプリケーションは、データベースでメンテナンスされることによって、集中データベースにおいて各社の独自のアプリケーションを良好に実行することができるものである。
【００３６】
請求項２５の発明によれば、グループ会社に共通するアプリケーションと各社に独自のアプリケーションで入力された情報を一括して読み出すことができることによって、グループ会社全体に対する情報管理を良好に行うことができるものである。
【００３７】
請求項２６の発明によれば、イントラネット上には複数のデータベースが分散して設けられると共に、イントラネットに管理用データベースが接続され、管理用データベースで複数のデータベースに設けられるアプリケーションのメンテナンスを行うことによって、大量のデータに対するレスポンス確保すると共に、各社の運用の違いが大きいときに容易に対応することができるものである。
【００３８】
請求項２７の発明によれば、端末に対するログインが認証されたときに、端末から各社の会社コードを含む認証情報が複数のデータベースに伝達され、複数のデータベースに対して各社の会社コードに応じたアクセスが行われることによって、集中データベースにおける各社の独自の利用を良好に行うことができるものである。
【００３９】
請求項２８の発明によれば、複数のデータベースには、グループ会社に共通するアプリケーションと各社に独自のアプリケーションが設けられ、各社の会社コードに応じたアプリケーションがアクセスされることによって、分散データベースにおいて各社の独自のアプリケーションを良好に実行することができるものである。
【００４０】
請求項２９の発明によれば、管理用データベースは、グループ会社に共通するアプリケーションのメンテナンスを一括で行うと共に、各社の会社コードを用いて各社に独自のアプリケーションのメンテナンスを個別に行うことによって、分散データベースにおいて各社の独自のアプリケーションを良好に実行することができるものである。
【００４１】
請求項３０の発明によれば、管理用データベースは、グループ会社に共通するアプリケーションで入力された情報を一括で読み出すと共に、各社に独自のアプリケーションで入力された情報を個別に読み出す手段を含むことによって、グループ会社全体に対する情報管理を良好に行うことができるものである。
【００４２】
さらに請求項３１は、グループ会社間のイントラネットとグループ各社の社内ネットワークが構築され、グループ会社の情報を集中して管理する情報管理システムを運用する情報管理プログラムであって、グループ会社の社員を対象とする個々の端末を各社の社内ネットワークに接続するステップと、端末に対するログインが認証されたときに、端末をグループ会社間のイントラネットを介してデータベースに接続するステップを含むことによって、集中データベースに対する全社員のアクセス認証等の問題を良好に解決することができるものである。
【００４３】
また、請求項３２の発明によれば、端末に対するログインが認証されたときに、端末から各社の会社コードを含む認証情報がデータベースに伝達され、各社の会社コードに応じたアクセスが行われることによって、集中データベースにおける各社の独自の利用を良好に行うことができるものである。
【００４４】
請求項３３の発明によれば、データベースには、グループ会社に共通するアプリケーションと各社に独自のアプリケーションが設けられ、各社の会社コードに応じたアプリケーションがアクセスされることによって、集中データベースにおいて各社の独自のアプリケーションを良好に実行することができるものである。
【００４５】
請求項３４の発明によれば、グループ会社に共通するアプリケーションと各社に独自のアプリケーションは、データベースでメンテナンスされることによって、集中データベースにおいて各社の独自のアプリケーションを良好に実行することができるものである。
【００４６】
請求項３５の発明によれば、グループ会社に共通するアプリケーションと各社に独自のアプリケーションで入力された情報を一括して読み出すステップを有することによって、グループ会社全体に対する情報管理を良好に行うことができるものである。
【００４７】
請求項３６の発明によれば、イントラネット上には複数のデータベースが分散して設けられると共に、イントラネットに管理用データベースが接続され、管理用データベースで複数のデータベースに設けられるアプリケーションのメンテナンスを行うステップを有することによって、大量のデータに対するレスポンス確保すると共に、各社の運用の違いが大きいときに容易に対応することができるものである。
【００４８】
請求項３７の発明によれば、端末に対するログインが認証されたときに、端末から各社の会社コードを含む認証情報が複数のデータベースに伝達され、複数のデータベースに対して各社の会社コードに応じたアクセスが行われることによって、集中データベースにおける各社の独自の利用を良好に行うことができるものである。
【００４９】
請求項３８の発明によれば、複数のデータベースには、グループ会社に共通するアプリケーションと各社に独自のアプリケーションが設けられ、各社の会社コードに応じたアプリケーションがアクセスされることによって、分散データベースにおいて各社の独自のアプリケーションを良好に実行することができるものである。
【００５０】
請求項３９の発明によれば、管理用データベースは、グループ会社に共通するアプリケーションのメンテナンスを一括で行うと共に、各社の会社コードを用いて各社に独自のアプリケーションのメンテナンスを個別に行うステップを有することによって、分散データベースにおいて各社の独自のアプリケーションを良好に実行することができるものである。
【００５１】
請求項４０の発明によれば、管理用データベースは、グループ会社に共通するアプリケーションで入力された情報を一括で読み出すと共に、各社に独自のアプリケーションで入力された情報を個別に読み出すステップを有することによって、グループ会社全体に対する情報管理を良好に行うことができるものである。
【００５２】
これによって、従来の装置では、例えばグループ内の各社の全社員が集中データベースにアクセスすることは認証の問題が大きくなり、またグループ内にあっても業種の異なる会社では、フォーマット全てを統一することが困難であったものを、本発明によればこれらの問題点を容易に解消することができるものである。
【発明を実施するための最良の形態】
【００５３】
本発明の情報管理システムは、グループ会社間のイントラネットとグループ各社の社内ネットワークが構築され、グループ会社の情報を集中して管理する情報管理システムであって、グループ会社の社員を対象とする個々の端末を各社の社内ネットワークに接続する手段と、端末に対するログインが認証されたときに、端末をグループ会社間のイントラネットを介してデータベースに接続する手段を有してなるものである。
【００５４】
また、本発明の情報管理装置においては、グループ会社間に構築されたイントラネットと、グループ各社に構築された社内ネットワークと、各社の社内ネットワークに接続されグループ会社の社員を対象とする個々の端末と、グループ会社間のイントラネットに接続されるデータベースとからなり、端末に対するログインが認証されたときに端末がグループ会社間のイントラネットを介してデータベースに接続されてグループ会社の情報を集中して管理してなるものである。
【００５５】
さらに本発明の情報管理方法は、グループ会社間のイントラネットとグループ各社の社内ネットワークが構築され、グループ会社の情報を集中して管理する情報管理システムに用いられる情報管理方法であって、グループ会社の社員を対象とする個々の端末が各社の社内ネットワークに接続され、端末に対するログインが認証されたときに、端末がグループ会社間のイントラネットを介してデータベースに接続されるものである。
【００５６】
また、本発明の情報管理プログラムは、グループ会社間のイントラネットとグループ各社の社内ネットワークが構築され、グループ会社の情報を集中して管理する情報管理システムを運用する情報管理プログラムであって、グループ会社の社員を対象とする個々の端末を各社の社内ネットワークに接続するステップと、端末に対するログインが認証されたときに、端末をグループ会社間のイントラネットを介してデータベースに接続するステップを含むものである。
【００５７】
以下、図面を参照して本発明を説明するに、図１は本発明による情報管理システム、装置、方法及びプログラムを適用したグループ会社間のイントラネットの一実施形態の構成を示すブロック図である。
【００５８】
図１において、中心会社の社員Ａ、一のグループ会社の社員Ｂ、二のグループ会社の社員Ｃには、それぞれ端末となるパーソナルコンピュータ（以下、ＰＣと略称する）１１、１２、１３が与えられている。これらのＰＣ１１、１２、１３は、それぞれ各社の社内ネットワーク２１、２２、２３に接続され、これらの社内ネットワーク２１、２２、２３にはそれぞれ社内サーバ３１、３２、３３が設けられる。
【００５９】
また、これらの社内ネットワーク２１、２２、２３がグループ会社間のイントラネット１００に接続され、このイントラネット１００に集中データベース２００が設けられると共に、このイントラネット１００には、管理者の端末となるＰＣ２０１や、経理システムの端末となるＰＣ２０２等が接続されている。
【００６０】
さらにデータベース２００には、グループ会社間で共通に使用されるアプリケーションや、各社の独自のアプリケーションなどが備えられており、各自のＰＣ１１〜１３等からデータベース２００にアクセスすることによりこれらが実行される。そして、これらのＰＣ１１〜１３からデータベース２００へのアクセスが以下のような手順で行われる。
【００６１】
すなわち、これらのＰＣ１１〜１３からデータベース２００へアクセスする場合には、まず、図２のステップ〔１〕で、社員Ａ〜Ｃによって、各自のＰＣ１１〜１３に社員番号とパスワードが入力される。ここでＰＣ１１〜１３の画面上には、例えば図３のＡに示すような社員番号とパスワードの入力を求める画像が表示される。なお、ＰＣ１１〜１３がそれぞれ社員Ａ〜Ｃに専用の場合には、パスワードのみの入力とすることもできる。
【００６２】
これにより図２のステップ〔２〕では、社内サーバ３１〜３３に設けられている例えば図３のＢに示すような社員マスタが参照されて、データベース２００へのアクセス権の認証が行われると共に、社員番号に該当する社員の所属する会社コードが取得される。そして図２のステップ〔３〕で、取得された会社コードをキーとしてデータベース２００へのアクセスが行われ、各会社のパラメータ等に従って表示画面の制御等が行われる。
【００６３】
斯くしてＰＣ１１〜１３の画面上には、例えば図３のＣに示すような物品購買申請書の画像が表示される。ここで画像の全体は、グループ会社間で共通のアプリケーションによって形成されるが、例えば勘定指定の項目は各社の業種によって多岐に亙るものであり、上述の会社コードをキーとして各社に設定されたマスタ選択されて形成される。また、以下の任意細目等の項目にも、各会社に設定されたアプリケーションが用いられる。
【００６４】
あるいは、図３のＤに示すような案内の画像においては、例えば画面の左側にグループ会社間で共通のアプリケーションによる案内が表示され、画面の右側には上述の会社コードをキーとして各社に設定されたアプリケーションによる案内が表示される。これによって、例えば画面の左側にはグループ会社間で共通に周知される案内が表示され、画面の右側には各社に個別に周知される案内が表示される。
【００６５】
そして図２のステップ〔４〕では、例えば図３のＣの物品購買申請書で入力された情報が保存され、ステップ〔５〕で、保存された情報が経理システムの端末となるＰＣ２０２や、図示しない受発注を行うシステム等に提供されて必要な処理に使用される。なおこの場合にも、上述の会社コードが付加されることによって、経理システムや受発注システムでは、保存された情報を各社からの直接の情報のように処理することができる。
【００６６】
このようして上述のシステムにおいて、社員Ａ〜Ｃの各自のＰＣ１１〜１３からデータベース２００へのアクセスが可能になる訳であるが、ここで社員Ａ〜Ｃの各自のアクセス権の認証は、社内サーバ３１〜３３に設けられた社員マスタが参照されて行われる。従って、この認証のためにデータベース２００の負担が増すようなことがなく、円滑な運用を行うことができる。
【００６７】
すなわち、従来のようにデータベース２００でグループ会社の全社員の認証を行うためには、膨大な量の社員マスタが必要になるが、上述のシステムにおいて、各社の社内ネットワーク２１〜２３の接続される程度の社員マスタであれば、社内サーバ３１〜３３で充分に対応できる。そして認証後は、イントラネット１００を介してデータベース２００に接続されることで、セキュリティの問題も良好に解決することができるものである。
【００６８】
さらに上述のシステムによれば、ＰＣ１１〜１３からデータベース２００へのアクセスの際には会社コードが付加されることによって、データベース２００に設けられたグループ会社間で共通のアプリケーションによる処理が行われると共に、各社に設定されたアプリケーションによる処理も行うことができる。また、経理システムのＰＣ２０２等での処理も円滑に行うことができる。
【００６９】
従ってこの実施形態において、グループ会社間のイントラネットとグループ各社の社内ネットワークが構築され、グループ会社の社員を対象とする個々の端末に対するログインが認証されたときに、端末がグループ会社間のイントラネットを介してデータベースに接続されるようにしたことによって、集中データベースに対する全社員のアクセス認証等の問題を良好に解決することができる。
【００７０】
これによって、従来の装置では、例えばグループ内の各社の全社員が集中データベースにアクセスすることは認証の問題が大きくなり、またグループ内にあっても業種の異なる会社では、フォーマット全てを統一することが困難であったものを、本発明によればこれらの問題点を容易に解消することができるものである。
【００７１】
また、上述のシステムにおいては、社内サーバ３１〜３３における管理は各会社の社内管理者によって行われる。ここでは、例えば図４のＡに示すような画面によって、基本設定、環境テーブル、承認者役職、勘定テーブル、事業所台帳等の新規登録などのパラメータ設定が行われる他、個人設定文書の確認や、申請書、注文／納品書の確認などが行われる。
【００７２】
これに対して、データベース２００の管理はシステム全体の管理者によって行われる。そしてこの管理者の端末となるＰＣ２０１では、例えば図４のＢに示すような画面によって、管理テーブル、会社台帳、伝票番号テーブル等の新規登録などのパラメータ設定が行われる他、例えば注文書等の書き出しデータエラーが生じた場合に、書き出し済みデータの照会や、元データ（注文書）の照会などの処理が行われる。
【００７３】
このように、システム全体の管理者は、各会社の社内管理者より高度な知識を必要とする処理に対応するものであるが、このようなシステム全体の管理者は、システム全体に対して配置すればよいものである。従って、従来のように管理者を個々の会社に配置する場合に比して人員等を大幅に削減することができる。また、社内管理者に対しては、簡単な操作教育等で対応することができるものである。
【００７４】
ところで上述のシステムにおいて、集中データベースによる運用形態では、例えば大量のデータの処理を行う際のレスポンスなどに問題を生じる恐れがある。また、各会社の業務内容に違いが大きい場合には、独自に用いられるアプリケーションの比率が高くなり、その場合も、集中データベースによる運用形態では運用上の問題を生じる恐れがある。
【００７５】
これに対して、いわゆる分散データベースによるシステムが提案されている。すなわち図５には、本発明を適用した分散データベースによるシステムの構成を示す。なお、図５の説明において、上述の図１と共通する部分には同一の符号を付して重複の説明を省略する。
【００７６】
この図５において、各会社、若しくは複数の会社を統括する統括会社ごとに、それぞれデータベース４１、４２、４３が設けられる。これらのデータベース４１、４２、４３はイントラネット１００を通じてアクセスされるものであるが、各データベースには、それぞれの対応する会社の会社コードを設定して、アクセス権等の管理が行われる。従って、図２のステップ〔３〕と同様に、取得された会社コードをキーとしてアクセスが行われ、各会社のパラメータ等に従って表示画面の制御等が行われる。
【００７７】
また、イントラネット１００には、管理者用データベース３０１及び書き出し用データベース３０２が接続され、それぞれ管理者の端末となるＰＣ２０１や経理システムの端末となるＰＣ２０２等によってアクセスされる。そして上述のデータベース４１、４２、４３のメンテナンスが、管理者のＰＣ２０１及び管理者用データベース３０１により行われると共に、データベース４１、４２、４３からの情報の書き出しが、経理システムのＰＣ２０２及び書き出し用データベース３０２により行われる。
【００７８】
さらに図６を用いて処理の手順を説明する。図６において、ステップ〔１１〕で各データベースに会社コードを設定し分散データベース４１、４２、４３を準備する。次にステップ〔１２〕で管理用データベース３０１から、任意の「パラメータ一括メンテツール」を用いて各分散データベース４１、４２、４３における共通パラメータの一括メンテナンスを行う。さらにステップ〔１３〕で各分散データベース４１、４２、４３における各会社別のパラメータの個別メンテナンスを行う。
【００７９】
また、ステップ〔１４〕で、例えば上述の図２のステップ〔４〕のように入力が保存される。そしてステップ〔１５〕では、任意の「一括データ書き出しツール」を用いて、例えば各分散データベース４１、４２、４３に入力された情報から１本の連携用テキストデータを作成する。すなわち、経理システム等の下流システムに対して、それぞれの各分散データベースで書き出したデータを自動的に取得し、データを１本にして指定コードの連携用データを作成する。
【００８０】
これによって、例えば図７のＡに示すように、管理者のＰＣ２０１から管理者用データベース３０１を通じて一括及び個別のデータベース４１、４２、４３のメンテナンスが行われる。また図７のＢに示すように、データベース４１、４２、４３からの情報が、書き出し用データベース３０２を通じて１本のデータにして経理システムのＰＣ２０２等に対して書き出しが行われる。
【００８１】
なお、上述の「パラメータ一括メンテツール」における具体的な処理は、例えば図８に示すように行われる。図８において、ステップ〔２１〕で一括メンテナンス対象データがセットされる。ここで一括メンテナンス対象データには、利用者全体向けのメッセージやデータ書き出しに必要な項目表示設定、データ書き出しレイアウト、共通マスタ参照のためのファイルパス指定などが想定される。
【００８２】
次にステップ〔２２〕で分散データベースのファイルパス（存在場所）が登録される。さらにステップ〔２３〕で定期自動処理または手動ボタンの押し下げ処理が実施される。そしてステップ〔２４〕で一括メンテナンス対象データが分散データベースに自動上書き更新される。
【００８３】
またステップ〔２５〕で分散データベースを開いてデータの反映を確認し、さらに各社個別メンテナンス対象データが個別にセットされる。ここで各社個別メンテナンス対象データには、各社利用者向けメッセージや各社データ書き出しに必要な項目表示設定、各社独自マスタ参照のためのファイルパス指定などが想定される。そしてステップ〔２６〕で稼動確認が行われ、ステップ〔２７〕で稼動される。このようにして、パラメータの一括メンテナンスが行われる。
【００８４】
一方、上述の「一括データ書き出しツール」における具体的な処理は、例えば図９に示すように行われる。図９において、ステップ〔３１〕で分散データベースのファイルパス（存在場所）が登録される。ここでファイルパスの登録には、上述の管理用データベースの「パラメータ一括メンテツール」に登録された情報を自動引用することができる。次にステップ〔３２〕で定期自動処理または手動ボタンの押し下げ処理が実施される。
【００８５】
さらにステップ〔３３〕で分散データベースから書き出されたテキストデータが自動収集されるか、または分散データベースを自動参照してテキストデータが自動収集される。そしてステップ〔３４〕で自動収集されたデータが１本化されて、指定レイアウトで定期自動処理または手動ボタン押し下げ処理により書き出しが実施される。これにより一括データ書き出しが行われ、下流の経理システムなどとのデータの連携が行われる。
【００８６】
こうして本発明によれば、グループ会社間のイントラネットとグループ各社の社内ネットワークが構築され、グループ会社の社員を対象とする個々の端末に対するログインが認証されたときに、端末がグループ会社間のイントラネットを介してデータベースに接続されるようにしたことによって、データベースに対する全社員のアクセス認証等の問題を良好に解決することができると共に、分散データベースにおけるメンテナンスやデータの収集を容易に行うことができるものである。＠
【００８７】
これによって、従来の装置では、例えばグループ内の各社の全社員が集中データベースにアクセスすることは認証の問題が大きくなり、またグループ内にあっても業種の異なる会社では、フォーマット全てを統一することが困難であったものを、本発明によればこれらの問題点を容易に解消することができるものである。
【００８８】
すなわち本発明の情報管理システムによれば、グループ会社間のイントラネットとグループ各社の社内ネットワークが構築され、グループ会社の情報を集中して管理する情報管理システムであって、グループ会社の社員を対象とする個々の端末を各社の社内ネットワークに接続する手段と、端末に対するログインが認証されたときに、端末をグループ会社間のイントラネットを介してデータベースに接続する手段を有することにより、集中データベースに対する全社員のアクセス認証等の問題を良好に解決することができるものである。
【００８９】
また、本発明の情報管理装置によれば、グループ会社間に構築されたイントラネットと、グループ各社に構築された社内ネットワークと、各社の社内ネットワークに接続されグループ会社の社員を対象とする個々の端末と、グループ会社間のイントラネットに接続されるデータベースとからなり、端末に対するログインが認証されたときに端末がグループ会社間のイントラネットを介してデータベースに接続されてグループ会社の情報を集中して管理することにより、集中データベースに対する全社員のアクセス認証等の問題を良好に解決することができるものである。
【００９０】
さらに本発明の情報管理方法によれば、グループ会社間のイントラネットとグループ各社の社内ネットワークが構築され、グループ会社の情報を集中して管理する情報管理システムに用いられる情報管理方法であって、グループ会社の社員を対象とする個々の端末が各社の社内ネットワークに接続され、端末に対するログインが認証されたときに、端末がグループ会社間のイントラネットを介してデータベースに接続されることにより、集中データベースに対する全社員のアクセス認証等の問題を良好に解決することができるものである。
【００９１】
また、本発明の情報管理プログラムによれば、グループ会社間のイントラネットとグループ各社の社内ネットワークが構築され、グループ会社の情報を集中して管理する情報管理システムを運用する情報管理プログラムであって、グループ会社の社員を対象とする個々の端末を各社の社内ネットワークに接続するステップと、端末に対するログインが認証されたときに、端末をグループ会社間のイントラネットを介してデータベースに接続するステップを含むことにより、集中データベースに対する全社員のアクセス認証等の問題を良好に解決することができるものである。
【産業上の利用可能性】
【００９２】
なお本発明は、上述の説明した実施形態に限定されるものではなく、本発明の精神を逸脱することなく種々の変形が可能とされるものである。
【図面の簡単な説明】
【００９３】
【図１】本発明による情報管理システム、装置、方法及びプログラムを適用したグループ会社間のイントラネットの一実施形態の構成を示すブロック図である。
【図２】その動作の説明のためのフローチャート図である。
【図３】その説明のための画面の表示例を示す図である。
【図４】その説明のための画面の表示例を示す図である。
【図５】本発明による情報管理システム、装置、方法及びプログラムを適用したグループ会社間のイントラネットの他の実施形態の構成を示すブロック図である。
【図６】その動作の説明のためのフローチャート図である。
【図７】その説明のための図である。
【図８】その動作の説明のためのフローチャート図である。
【図９】その動作の説明のためのフローチャート図である。
【符号の説明】
【００９４】
Ａ〜Ｃ…社員、１１〜１３…端末となるパーソナルコンピュータ、２１〜２３…社内ネットワーク、３１〜３３…社内サーバ、１００…イントラネット、２００…集中データベース、２０１…管理者の端末となるパーソナルコンピュータ、２０２…経理システムの端末となるパーソナルコンピュータ
【図１】
2005149392.tif 000003
【図２】
2005149392.tif 000004
【図３】
2005149392.tif 000005
【図４】
2005149392.tif 000006
【図５】
2005149392.tif 000007
【図６】
2005149392.tif 000008
【図７】
2005149392.tif 000009
【図８】
2005149392.tif 000010
【図９】
2005149392.tif 000011